(57)【特許請求の範囲】
【請求項１】
遊技球が流下する遊技領域を有する遊技盤と、前記遊技領域に備えられ遊技球が入賞可能な入賞装置と、前記入賞装置の上部に備えられて前記遊技領域を流下する遊技球を前記入賞装置へ入賞し易くする入賞容易流路と前記入賞容易流路より入賞を困難とする入賞困難流路とに振り分ける振り分け装置とを備えた弾球遊技機において、
前記振り分け装置は前記遊技盤上で揺動可能であると共に遊技球を前記入賞容易流路もしくは前記入賞困難流路のいずれかに誘導する揺動流路を備え、前記揺動流路は第１位置と第２位置の間で移動可能であり、
前記揺動流路の第２位置では前記第１位置よりも前記揺動流路の一側に遊技球を誘導し易くされていると共に、前記揺動流路の一側に誘導された遊技球を前記入賞容易流路に誘導し易くする誘導部を設けた第１誘導流路と、前記入賞困難流路に誘導し易くする第２誘導流路とを備えることを特徴とする弾球遊技機。
【請求項２】
前記揺動流路には前記遊技盤に揺動可能に取り付けられる揺動軸部が備えられ、前記揺動流路の揺動を所定角度で規制する揺動規制部が備えられていることを特徴とする請求項１に記載の弾球遊技機。
【請求項３】
前記誘導部が、前記第１誘導流路の両端に備えられて遊技球の転動を規制する規制部と、前記規制部により転動が規制された遊技球を前記入賞容易流路に誘導するための誘導口へ導く傾斜部とを備えることを特徴とする請求項１又は２に記載の弾球遊技機。
【請求項４】
前記揺動流路において、前記第２誘導流路と前記第１誘導流路が弾球遊技機の前面側から背面側に向けて順に並設されていることを特徴とする請求項１ないし３のいずれか１項に記載の弾球遊技機。
【請求項５】
前記揺動流路には該揺動流路の一側と他側との間に高低差を有する斜面が形成され、前記揺動流路が第１位置となる場合、前記斜面により誘導された遊技球を前記入賞困難流路に誘導し易くする落下口が前記第２誘導流路に備えられていることを特徴とする請求項１ないし４のいずれか１項に記載の弾球遊技機。
【請求項６】
前記落下口付近には重りが設けられていることを特徴とする請求項５に記載の弾球遊技機。
【請求項７】
前記揺動流路における前記斜面が、当該揺動流路の一側から他側及び他側から一側にかけて下る斜面部をそれぞれ備え、前記それぞれの斜面部が前記揺動流路の一側及び他側より低くされた合流部でつながり、前記揺動流路が第１位置となる場合、遊技球を前記合流部に誘導可能とし、前記合流部に前記落下口が備えられていることを特徴とする請求項１ないし６のいずれか１項に記載の弾球遊技機。
【請求項８】
前記揺動流路が第１位置となる場合、前記落下口を備える前記合流部が当該揺動流路の最下点となり、前記揺動流路が第２位置となる場合、当該揺動流路の一側あるいは他側のいずれかが前記落下口より低くなるように構成されていることを特徴とする請求項５ないし７のいずれか１項に記載の弾球遊技機。
【発明の詳細な説明】
【技術分野】
【０００１】
本発明は、弾球遊技機に関し、特に遊技球を振り分ける振り分け装置の構造に関する。
【背景技術】
【０００２】
通常、パチンコ遊技機等の弾球遊技機にあっては、特定の入賞口に遊技球が入賞すると、所定数の遊技球を賞球として獲得することができる。そこで、入賞口毎に賞球の数、入賞の難易度に高低差が設けられ、遊技の興趣が高められている。
【０００３】
例えば、振り子板と皿部とを備えて回動する役物を入賞口の上方に設置したパチンコ遊技機が提案されている（特許文献１参照）。当該特許文献１におけるパチンコ遊技機よると、役物への遊技球の衝撃により揺動が行われる。このため、遊技球の動きに伴って、揺動が複雑化し視覚上の変化を楽しむことができる。
【０００４】
しかしながら、揺動の変化に伴う面白さを得ることができるものの、入賞口への入賞のし易さとの関連性は弱く、遊技者の興趣は薄れやすくなっていた。そこで、新たな面白さや興趣を表現できる構造体が望まれていた。
【特許文献１】特開平８−１９１９２８号公報
【発明の開示】
【発明が解決しようとする課題】
【０００５】
本発明は前記の状況に鑑みなされたものであり、遊技球の衝撃に伴う揺動を行いながら、特定の入賞口への入賞のし易さに難易を設け、遊技の興趣を高めることができる弾球遊技機を提供する。
【課題を解決するための手段】
【０００６】
すなわち、請求項１の発明は、遊技球が流下する遊技領域を有する遊技盤と、前記遊技領域に備えられ遊技球が入賞可能な入賞装置と、前記入賞装置の上部に備えられて前記遊技領域を流下する遊技球を前記入賞装置へ入賞し易くする入賞容易流路と前記入賞容易流路より入賞を困難とする入賞困難流路とに振り分ける振り分け装置とを備えた弾球遊技機において、前記振り分け装置は前記遊技盤上で揺動可能であると共に遊技球を前記入賞容易流路もしくは前記入賞困難流路のいずれかに誘導する揺動流路を備え、前記揺動流路は第１位置と第２位置の間で移動可能であり、前記揺動流路の第２位置では前記第１位置よりも前記揺動流路の一側に遊技球を誘導し易くされていると共に、前記揺動流路の一側に誘導された遊技球を前記入賞容易流路に誘導し易くする誘導部を設けた第１誘導流路と、前記入賞困難流路に誘導し易くする第２誘導流路とを備えることを特徴とする弾球遊技機に係る。
【０００７】
請求項２の発明は、前記揺動流路には前記遊技盤に揺動可能に取り付けられる揺動軸部が備えられ、前記揺動流路の揺動を所定角度で規制する揺動規制部が備えられていることを特徴とする請求項１に記載の弾球遊技機に係る。
【０００８】
請求項３の発明は、前記誘導部が、前記第１誘導流路の両端に備えられて遊技球の転動を規制する規制部と、前記規制部により転動が規制された遊技球を前記入賞容易流路に誘導するための誘導口へ導く傾斜部とを備えることを特徴とする請求項１又は２に記載の弾球遊技機に係る。
【０００９】
請求項４の発明は、前記揺動流路において、前記第２誘導流路と前記第１誘導流路が弾球遊技機の前面側から背面側に向けて順に並設されていることを特徴とする請求項１ないし３のいずれか１項に記載の弾球遊技機に係る。
【００１０】
請求項５の発明は、前記揺動流路には該揺動流路の一側と他側との間に高低差を有する斜面が形成され、前記揺動流路が第１位置となる場合、前記斜面により誘導された遊技球を前記入賞困難流路に誘導し易くする落下口が前記第２誘導流路に備えられていることを特徴とする請求項１ないし４のいずれか１項に記載の弾球遊技機に係る。
【００１１】
請求項６の発明は、前記落下口付近には重りが設けられていることを特徴とする請求項５に記載の弾球遊技機に係る。
【００１２】
請求項７の発明は、前記揺動流路における前記斜面が、当該揺動流路の一側から他側及び他側から一側にかけて下る斜面部をそれぞれ備え、前記それぞれの斜面部が前記揺動流路の一側及び他側より低くされた合流部でつながり、前記揺動流路が第１位置となる場合、遊技球を前記合流部に誘導可能とし、前記合流部に前記落下口が備えられていることを特徴とする請求項１ないし６のいずれか１項に記載の弾球遊技機に係る。
【００１３】
請求項８の発明は、前記揺動流路が第１位置となる場合、前記落下口を備える前記合流部が当該揺動流路の最下点となり、前記揺動流路が第２位置となる場合、当該揺動流路の一側あるいは他側のいずれかが前記落下口より低くなるように構成されていることを特徴とする請求項５ないし７のいずれか１項に記載の弾球遊技機に係る。
【発明の効果】
【００１４】
請求項１の発明に係る弾球遊技機によると、振り分け装置は遊技盤上で揺動可能であると共に遊技球を入賞容易流路もしくは入賞困難流路のいずれかに誘導する揺動流路を備え、前記揺動流路は第１位置と第２位置の間で移動可能であり、前記揺動流路の第２位置では前記第１位置よりも前記揺動流路の一側に遊技球を誘導し易くされていると共に、前記揺動流路の一側に誘導された遊技球を前記入賞容易流路に誘導し易くする誘導部を設けた第１誘導流路と、前記入賞困難流路に誘導し易くする第２誘導流路とを備えるため、振り分け装置の揺動流路の揺動位置に応じて遊技球の入賞装置への入賞する可能性に変化が生じる。このため、遊技者は振り分け装置の揺動にも関心を払うこととなり、遊技の興趣を持続することができる。
【００１５】
請求項２の発明に係る弾球遊技機によると、請求項１の発明において、前記揺動流路には前記遊技盤に揺動可能に取り付けられる揺動軸部が備えられ、前記揺動流路の揺動を所定角度で規制する揺動規制部が備えられているため、揺動流路の揺動は一定の範囲内に収まり、遊技者は揺動量を予測することが可能となる。
【００１６】
請求項３の発明に係る弾球遊技機によると、請求項１又は２の発明において、前記誘導部が、前記第１誘導流路の両端に備えられて遊技球の転動を規制する規制部と、前記規制部により転動が規制された遊技球を前記入賞容易流路に誘導するための誘導口へ導く傾斜部とを備えるため、揺動流路上の遊技球をより正確に誘導口に導くことができる。
【００１７】
請求項４の発明に係る弾球遊技機によると、請求項１ないし３のいずれか１項の発明において、前記揺動流路において、前記第２誘導流路と前記第１誘導流路が弾球遊技機の前面側から背面側に向けて順に並設されているため、遊技球が第１誘導流路または第２誘導流路のいずれかに誘導されるかについて、遊技者は遊技球の動きに注目することとなり遊技への関心を維持することができる。
【００１８】
請求項５の発明に係る弾球遊技機によると、請求項１ないし４のいずれか１項の発明において、前記揺動流路には該揺動流路の一側と他側との間に高低差を有する斜面が形成され、前記揺動流路が第１位置となる場合、前記斜面により誘導された遊技球を前記入賞困難流路に誘導し易くする落下口が前記第２誘導流路に備えられているため、揺動流路が揺動するときほど入賞容易流路へ誘導され易くなる。そのため、遊技者は揺動流路の動きに注目することとなり遊技への関心を維持することができる。
【００１９】
請求項６の発明に係る弾球遊技機によると、請求項５の発明において、前記落下口付近には重りが設けられているため、振り分け装置（揺動部材）の揺動時間の調整が可能となる。
【００２０】
請求項７の発明に係る弾球遊技機によると、請求項１ないし６のいずれか１項の発明において、前記揺動流路における前記斜面が、当該揺動流路の一側から他側及び他側から一側にかけて下る斜面部をそれぞれ備え、前記それぞれの斜面部が前記揺動流路の一側及び他側より低くされた合流部でつながり、前記揺動流路が第１位置となる場合、遊技球を前記合流部に誘導可能とし、前記合流部に前記落下口が備えられているため、揺動流路が揺動するほど入賞容易流路へ誘導され易くなる。そのため、揺動流路の動きに応じて付加価値を高めることが可能となる。
【００２１】
請求項８の発明に係る弾球遊技機によると、請求項５ないし７のいずれか１項の発明において、前記揺動流路が第１位置となる場合、前記落下口を備える前記合流部が当該揺動流路の最下点となり、前記揺動流路が第２位置となる場合、当該揺動流路の一側あるいは他側のいずれかが前記落下口より低くなるように構成されているため、より確実に、揺動流路が第１位置となる場合には遊技球は入賞困難流路に誘導され易くなり、また、揺動流路が第２位置となる場合には遊技球は入賞容易流路に誘導され易くなる。従って、揺動流路の動きに応じた付加価値が高まる。
【発明を実施するための最良の形態】
【００２２】
以下添付の図面に基づきこの発明の好適な実施形態を説明する。
図１はこの発明の一実施例に係る弾球遊技機全体の正面図、図２は同遊技機の背面図、図３はセンター役物の正面斜視図、図４はセンター役物の分解斜視図、図５は振り分け装置の全体斜視図、図６は図５の主要部拡大図、図７は振り分け装置の揺動流路付近の縦断面図、図８は揺動流路が第１位置である振り分け装置の主要部正面図、図９は揺動流路が第１位置であるセンター役物の正面図、図１０は揺動流路が第１位置であるときの概略上面図及び概略断面図、図１１は揺動流路が第２位置であるセンター役物の正面図、図１２は揺動流路が第２位置である振り分け装置の主要部正面図、図１３は揺動流路が第２位置であるときの概略上面図及び概略断面図である。
【００２３】
図１に示す弾球遊技機１は、パチンコ遊技機を示し、その枠体２の内側に遊技盤３が着脱交換可能に収容されており、遊技盤３に設けられた遊技領域６の中心線上にその上部から下部に向かって順に表示装置９を備えるセンター役物１００、普通電動役物である始動入賞口１０、特別電動役物である大入賞口１５、アウト口（排出口とも称される。）１７が配設される。紙面のセンター役物１００の左側には風車１８、普通図柄変動開始用左ゲート１９が設置され、始動入賞口１０の左右に左袖入賞口２３と右袖入賞口２５、左落とし入賞口２７と右落とし入賞口２９が配設されている。実施例においては、振り分け装置１２０はセンター役物１００を介して遊技盤３に接続されている。また、始動入賞口１０が入賞装置となる。
【００２４】
前記枠体２の前面側には、払い出された遊技球を受け、遊技者の発射操作に応じて遊技球を遊技盤３の遊技領域６に向けて発射する発射ハンドルＨ及び図示しない発射装置に遊技球を供給する上側遊技球貯留皿３１、前記上側遊技球貯留皿３１の飽和時に遊技球を受けるための下側遊技球貯留皿３２、遊技状態を報知するランプ表示器３３，３４、音声や効果音を発して遊技状態を遊技者に報知するスピーカ８がそれぞれ組み付けられている。
【００２５】
図中の表示装置９は、画像表示部からなる図柄表示装置であり、図示はしないが特別図柄及び普通図柄が表示される。図柄表示装置を構成する画像表示部は、ＴＦＴ−ＬＣＤモジュール等の液晶表示盤、ドットマトリックス表示器に限られるものではなく、ＬＥＤ、ＥＬ、ＣＲＴやその他発光体で構成されていてもよい。実施例においては、ＴＦＴ−ＬＣＤモジュールからなる液晶表示盤である。
【００２６】
図２に示すように、弾球遊技機１の遊技盤の裏面側には、該遊技盤の前面側に配設された前記画像表示装置９の画像表示部への図柄等の表示制御を行う図柄制御基板５７、同じく遊技盤の前面側である遊技領域６に配設された入賞口に入球した遊技球を集合させる集合路を有する集合板（図示せず）が設けられている。
【００２７】
また、図２の符号４０は遊技球を貯留する貯留タンク、４１はタンクレール、４２は枠用外部出力端子基板、４３はランプ中継基板、４４は受電基板、４５は賞球センサ中継基板、４６は盤面用外部出力端子基板、４７は中継基板、４８は音声制御基板、４９はＦＧ中継基板、５０は主制御基板、５１は電源基板、５２はランプ制御基板、５３は払出制御基板、５４は発射装置制御基板、５５はカードインターフェイス接続部、５６は電源プラグ、５７は図柄制御基板、Ｇは接地線、６０は制御基板収容ケースである。
【００２８】
図３の斜視図及び図４の分解斜視図を用い、センター役物１００の主要な構成を説明する。センター役物１００には前面枠部材１０１が備えられ、役物自体の装飾に用いられる。前面枠部材１０１と画像表示装置９の間には、保護透明板１０９が配置され、画像表示装置の液晶パネルを保護している。前面枠部材１０１の左右の中央部分に右側流路１０３、左側流路１０４が接続される。前面枠部材１０１の下部にステージ部材１１０が取り付けられ、このステージ部材１１０に揺動可能に振り分け装置１２０が収容される。
【００２９】
ステージ部材１１０の中央には上面と前面に開口され、四方を壁面に囲まれたステージ下室１１５が設けられ、ステージ誘導板１１６、ステージ誘導壁部１１４が備えられている。ステージ誘導壁部１１４が区画するステージ下室１１５において、中央に位置する流路は入賞容易流路１１７であり、入賞容易流路１１７の左右に配される流路は入賞困難流路１１８である。図３において、ステージ下室１１５の構成の把握を容易にするため、ステージ前板１１０ｆを取り外した状態で表している。
【００３０】
遊技領域６を流下する遊技球は、センター役物１００左右に設けられた右側流路１０３の右入り口１０３ｉあるいは左側流路１０４の左入り口１０４ｉから侵入する。右側流路１０３、左側流路１０４内を転動する遊技球は右ステージ穴１０３ｈあるいは左ステージ穴１０４ｈより、ステージ部材１１０のステージ面１１１上に現れる。遊技球はステージ面１１１上より、振り分け装置１２０に備えられる揺動流路１２３に転動する。または、ステージ面１１１と揺動流路１２３との隙間（隙間の幅Ｗ）に落ち込むこととなる（図９、図１０参照）。
【００３１】
ステージ下室１１５に流下した遊技球がステージ誘導壁部１１４に導かれて入賞容易流路１１７を通過すると、図１より自明なとおり、その直下に始動入賞口１０（入賞装置）があるため、遊技球の入賞は容易となる。これに対して、ステージ下室１１５に流下した遊技球がステージ誘導壁部１１４の抵抗を受けて入賞困難流路１１８を通過する場合、始動入賞口１０（入賞装置）から外れ易くなるため、入賞容易流路１１７よりも遊技球の入賞が困難となる。なお、ステージ誘導壁部１１４の直上にステージ誘導板１１６が被せられ、不用意な入賞容易流路１１７への遊技球の侵入を防いでいる。
【００３２】
振り分け装置１２０の上端には揺動軸部１１９が備えられ、図４に示す軸受け部材１０２の軸穴１０２ｏ内に遊嵌可能に挿入される。そして、揺動軸部１１９の軸孔１１９ｏ（図５参照）内にビスＪを挿通させて固定している。当然ながら、軸穴１０２ｏの内径は揺動軸部１１９より大きく、容易に揺動可能とされている。なお、図示のとおり軸支する構造の他に、適宜のベアリングを振り分け装置１２０の上端に設けて揺動させることも可能である。
【００３３】
振り分け装置１２０の揺動の様子は、後述する図９、図１１等に示すとおり、揺動軸部１１９を円の中心とする円弧状の揺動運動となる。特に本実施例にあっては、振り分け装置１２０の揺動流路１２３が揺動状態にないとき（静止状態時の位置にあるとき）を第１位置（図９参照）とし、揺動流路１２３が揺動状態にあるとき（静止状態時の位置から回動したとき）を第２位置（図１１参照）としている。つまり、揺動流路１２３は、左の第２位置、第１位置、右の第２位置とする遊技盤３上の左右の移動（すなわち揺動）を繰り返すこととなる。
【００３４】
振り分け装置１２０の揺動流路１２３の揺動を所定角度（左右方向に揺動する角度）で規制する揺動規制部として、ステージ下室１１５を形成するステージ右壁１１３Ｒ、ステージ左壁１１３Ｌが該当する。揺動の際、後述する図５、図６等に示す揺動流路１２３の一側１２３Ｒ（流路右端）はステージ右壁１１３Ｒと、また他側１２３Ｌ（流路左端）はステージ左壁１１３Ｌと当接するため、揺動角度は規制されることとなる。図中、符号１１３Ｂはステージ後壁である。ここで、実施例の構成に代えて、図示はしないが、軸受け部材１０２の軸穴１０２ｏ付近に適宜の板状物を設け、振り分け装置１２０の揺動軸部１１９付近の縁が板状物と当接させることもできる。このように揺動規制部を有するため、振り分け装置１２０の揺動流路１２３の揺動は一定の範囲内とされ、不規則な揺動は極力避けられ、遊技者による揺動量の予測が容易となる。
【００３５】
さらに、振り分け装置１２０の下部の左右には、安定板１２１が備えられる。安定板１２１は、ステージ部材１１０のステージ面１１１に設けられたステージ溝１１２内に十分な隙間をもって入り込む（遊挿する）。そのため、図３、図４に示すステージ溝１１２と、安定板１２１が形成されている方向から理解されるように、揺動時、振り分け装置１２０が遊技盤３側から浮き上がることはなくなる。
【００３６】
続いて、図５を用い振り分け装置１２０を説明する。前述のとおり、当該振り分け装置１２０において、揺動軸部１１９が円弧状の揺動運動の中心となる。振り分け装置１２０の大半は、略三角形状の本体部１２２からなる。図１等から自明なとおり、振り分け装置１２０は画像表示装置９の前面に軸支されており、表示画像の視認性に影響を与えないため、適宜の透明の樹脂素材から形成される。
【００３７】
本体部１２２の最下部に設けられる揺動流路１２３は、本体部１２２に対してほぼ直角に形成されている。また、本体部１２２の下部の左右に安定板１２１が設けられている。安定板の作用は前記のとおりである。本体部１２２と安定板１２１、及び揺動流路１２３が接続されている左右の２箇所に誘導口１２５が設けられ、揺動流路１２３の手前側（遊技者側）には遊技球が落下可能な落下口１２４が設けられている。
【００３８】
揺動流路１２３の下面側、特には落下口１２４付近には重り１４０が設けられている。この重り１４０は、適宜交換により重さの調整が可能である。重りは、振り分け装置１２０が揺動する速さ、転動する遊技球より受ける圧力等を勘案して調整される。そのため、揺動流路が第２位置となる程度も変化させられる。
【００３９】
実施例の揺動流路１２３において、その右側は揺動流路の一側１２３Ｒ（流路右端）、その左側は揺動流路の他側１２３Ｌ（流路左端）とされている。揺動流路１２３の一側、他側の関係とは、該揺動流路１２３の左右の両端を説明の便宜上区別するものであり、一側が流路左端、他側が流路右端となることもあり得る。一側１２３Ｒ（流路右端）及び他側１２３Ｌ（流路左端）には小片状の規制部１２６がそれぞれ立設されている。規制部１２６の内側（揺動流路１２３の中央寄り）には、なだらかに誘導口１２５方向へ傾斜する傾斜部１２７が設けられ、傾斜部１２７は揺動流路１２３より誘導口１２５に接続されている。
【００４０】
図示にて、規制部１２６の立設位置は揺動流路１２３の奥寄り（本体部１２２に近い側寄り）となり、揺動流路１２３の手前側（遊技者側）には設けられていない。つまり、前記のステージ面１１１より揺動流路１２３に転動してきた遊技球のうち、一部の遊技球のみが規制部１２６の介助を受けて傾斜部１２７を転動し、誘導口１２５に至ることができる。すなわち、誘導口１２５への遊技球の誘導の正確さが増す。規制部１２６及び傾斜部１２７は遊技球の誘導部１２８となる。
【００４１】
さらに図６ないし図８を用い揺動流路１２３の構成をさらに詳しく述べる。図６に示すように、揺動流路１２３は第１誘導流路１３１と第２誘導流路１３２に区分される。第２誘導流路１３２と第１誘導流路１３１は弾球遊技機１の前面側（図１の側を参照）から背面側（図２の側を参照）に向けて、順に並設されている。図７は揺動流路１２３の左右方向の中央位置にて切断した概略を表す。図示から理解されるように、揺動流路１２３において、第１誘導流路１３１は第２誘導流路１３２に比して本体部１２２側（紙面右側）に向けて傾斜（θ）している。また、第２誘導流路１３２自体も弾球遊技機の背面から前面方向（紙面左側）に向けて傾斜（φ）している。
【００４２】
図８は揺動流路１２３の部分拡大正面図に当たる。図示揺動流路１２３では、その一側１２３Ｒ（流路右端）と他側１２３Ｌ（流路左端）の間に高低差ｄＨを有する斜面１３０が形成される。この斜面１３０の形状は左右が等しい略円弧状である。特に、揺動流路１２３が振り分け装置１２０の鉛直位置にあるときは第１位置（図９参照）であり、遊技球は前記の斜面１３０を転動可能となる。そして、遊技球を入賞困難流路に誘導し易くする落下口１２４は、第２誘導流路１３２に備えられている（図６、図７参照）。
【００４３】
より詳しく述べると、揺動流路１２３の斜面１３０には、揺動流路１２３の一側１２３Ｒ（流路右端）から該揺動流路の中央に向けて下る斜面部１３０Ｒ（右斜面部）と、他側１２３Ｌ（流路左端）から該揺動流路の中央に向けて下る斜面部１３０Ｌ（左斜面部）が備えられる（図６参照）。前記の右斜面部１３０Ｒ及び左斜面部１３０Ｌは、一側１２３Ｒ（流路右端）及び他側１２３Ｌ（流路左端）よりも高低差ｄＨ低くされている合流部１３５でつなげられている。そして、揺動流路１２３が第１位置となる場合、遊技球は揺動流路１２３（斜面１３０）の合流部１３５に誘導可能なる。また、この合流部１３５に落下口１２４が備えられ、揺動流路１２３が第１位置となる場合、この落下口１２４を備える合流部１３５が揺動流路１２３の最下点となる。つまり、一側１２３Ｒ（流路右端）及び他側１２３Ｌ（流路左端）との高低差ｄＨから自明である（図６、図８参照）。
【００４４】
実施例の弾球遊技機における揺動流路の第１位置と入賞困難流路について、図９、図１０を用いて説明する。揺動流路の第１位置とは、図９に示すように、揺動軸部１１９、落下口１２４、図示しない始動入賞口１０が同一直線上に並ぶ振り分け装置１２０の揺動位置である。図９では振り分け装置１２０の安定板を省略している。
【００４５】
ステージ部材１１０のステージ面１１１を転動する遊技球は、振り分け装置１２０の揺動のタイミングにより、揺動流路１２３に流下し斜面１３０上を転動する。このとき図８等より理解されるように、高低差ｄＨにより斜面１３０の中央部分（合流部１３５）にまで導かれ、第２誘導流路１３２の落下口１２４から落下する（図１０（ａ）の概略上面図参照）。ステージ誘導板１１６は三角形を張り合わせた略山形状（図９参照）であるため、遊技球Ｐ１は左右のどちらかに振り落とされる。落下した遊技球Ｐ１はステージ下室１１５内のステージ誘導壁部１１４により区切られている入賞困難流路１１８をそのまま転動して、センター役物１００を離れる（図１０（ｂ）の概略断面図参照）。遊技球Ｐ１の軌跡Ｒ１は、図１に示す始動入賞口１０（入賞装置）への流路と異なり、遊技球が入賞可能となることはほぼなくなる。
【００４６】
あるいは、図９、図１０から把握されるように、第１位置のとき、ステージ左壁１１３Ｌ、ステージ右壁１１３Ｒと、振り分け装置１２０の揺動流路１２３との間には幅Ｗの隙間が形成される。この幅Ｗは遊技球の直径よりも僅かに大である。そのため、ステージ部材１１０のステージ面１１１を転動する遊技球は、揺動流路１２３に達することができなければ、幅Ｗの隙間から落下する（遊技球Ｐ２として図示）。遊技球Ｐ２はそのままステージ下室１１５に落下し、ステージ誘導壁部１１４により区切られている入賞困難流路１１８をそのまま転動して、センター役物１００を離れる。遊技球Ｐ２の軌跡Ｒ２も、図１に示す始動入賞口１０（入賞装置）への流路と異なり、遊技球が入賞可能となることはほぼなくなる。
【００４７】
実施例の弾球遊技機における揺動流路の第２位置と入賞容易流路について、図１１ないし図１３を用いて説明する。揺動流路の第２位置とは、図１１に示すように、揺動軸部１１９と図示しない始動入賞口１０を結ぶ直線から、落下口１２４が左右のいずれかに偏った揺動位置である。図１１でも振り分け装置１２０の安定板を省略している。
【００４８】
揺動流路の第２位置について、揺動流路の一側あるいは他側のいずれかが落下口よりも低くされている。特に図１２の例によると、他側１２３Ｌ（流路左端）は落下口１２４よりも高低差ｄＬだけ低くされている。従って、揺動流路１２３の斜面１３０を転動する遊技球のうち、ある程度の遊技球は第１誘導路１３１を一側１２３Ｒ（流路右端）から他側１２３Ｌ（流路左端）まで転動することが可能となる。そこで、規制部１２６に当接することにより、傾斜部１２７を転動し誘導口１２５に至ることができる。
【００４９】
ステージ部材１１０のステージ面１１１を転動する遊技球は、振り分け装置１２０の揺動のタイミングにより、揺動流路１２３に流下し斜面１３０上を転動する。このとき図１２より理解されるように、揺動流路の一側又は他側（図示では他側１２３Ｌ（流路左端））に導かれ、誘導口１２５を通過する（図１３（ａ）の概略上面図参照）。振り分け装置１２０とステージ後壁１１３Ｂにより区切られるステージ下室１１５内に落下する。遊技球Ｐ３はステージ誘導壁部１１４により誘導されて入賞容易流路１１７からその下方に落下する（図１３（ｂ）の概略断面図参照）。よって、遊技球Ｐ３の軌跡Ｒ３は、図１に示す始動入賞口１０（入賞装置）への流路と一致し、遊技球は入賞可能となる。
【００５０】
なお、揺動流路が第２位置であっても、遊技球が第２誘導流路１３２を転動する場合、図１２からも明らかなとおり落下口１２４に誘導され易くなる。この遊技球Ｐ４はステージ誘導板１１６により左右のどちらかに振り落とされる。落下した遊技球Ｐ４はステージ下室１１５内のステージ誘導壁部１１４により区切られている入賞困難流路１１８をそのまま転動して、センター役物１００を離れる（図１１参照）。この結果、遊技球Ｐ４の軌跡Ｒ４は、図１に示す始動入賞口１０（入賞装置）への流路と異なり、遊技球が入賞可能となることはほぼなくなる。
【００５１】
以上詳述のとおり、揺動流路１２３が第２位置となるときは、第１位置となるときと比して相対的に揺動流路の一側または他側のいずれか一方の側に遊技球を誘導し易くしている。遊技球は、第１誘導流路１３１を伝いながら誘導部１２８（規制部１２６及び傾斜部１２７）により誘導口１２５内に転動可能となり、入賞容易領域１１７へ導かれる。従って、揺動流路１２３が第２位置となるときは、入賞装置（始動入賞口１０）への入賞が生じ易くなるため、賞球をはじめとする遊技上の特典への期待感が高まり、斬新な興趣を付与することができる。
【００５２】
本発明の弾球遊技機は、上記実施例として述べた構成に必ずしも限られるものではない。発明の趣旨を逸脱しない範囲内において種々の変更を付加して実施することができることは言うまでもない。
【００５３】
例えば、振り分け装置の移動として、遊技盤の面上での略円弧状の揺動としているが、遊技盤の奥行き方向とする揺動とすることもできる。また、揺動流路の斜面は図示の円弧状のみに限られることもなく、Ｖ字形状の傾斜した平面とすることも可能であり、一側の斜面部、他側の斜面部を曲面と平面のように互いに異ならせてもよい。さらに、振り分け装置の直下に設けられる入賞装置は実施例の始動入賞口の他に、大入賞口、通過ゲート等であってもよい。加えて、振り分け装置は遊技球の落下に伴う揺動であるが、適宜のモータを配して強制的に揺動させることもできる。
【００５４】
以上に述べた実施例は、パチンコ遊技機を用いて図示し説明してきたが、むろん、アレンジボール遊技機等の各種弾球遊技機においても適用可能である。
【図面の簡単な説明】
【００５５】
【図１】この発明の一実施例に係る遊技機全体の正面図である。
【図２】同弾球遊技機の背面図である。
【図３】センター役物の正面斜視図である。
【図４】センター役物の分解斜視図である。
【図５】振り分け装置の全体斜視図である。
【図６】図５の主要部拡大図である。
【図７】振り分け装置の揺動流路付近の縦断面図である。
【図８】揺動流路が第１位置である振り分け装置の主要部正面図である。
【図９】揺動流路が第１位置であるセンター役物の正面図である。
【図１０】揺動流路が第１位置であるときの概略上面図及び概略断面図である。
【図１１】揺動流路が第２位置であるセンター役物の正面図である。
【図１２】揺動流路が第２位置である振り分け装置の主要部正面図である。
【図１３】揺動流路が第２位置であるときの概略上面図及び概略断面図である。
【符号の説明】
【００５６】
１  弾球遊技機
３  遊技盤
６  遊技領域
１０  始動入賞口（入賞装置）
１００  センター役物
１１０  ステージ部材
１１５  ステージ下室
１１７  入賞容易流路
１１８  入賞困難流路
１１９  揺動軸部
１２０  振り分け装置
１２１  安定板
１２３  揺動流路
１２４  落下口
１２５  誘導口
１２６  規制部
１２７  斜面部
１２８  誘導部
１３０  斜面
１３１  第１誘導路
１３２  第２誘導路
１３５  合流部
１４０  重り
【図１】
0004686271.tif 000002
【図２】
0004686271.tif 000003
【図３】
0004686271.tif 000004
【図４】
0004686271.tif 000005
【図５】
0004686271.tif 000006
【図６】
0004686271.tif 000007
【図７】
0004686271.tif 000008
【図８】
0004686271.tif 000009
【図９】
0004686271.tif 000010
【図１０】
0004686271.tif 000011
【図１１】
0004686271.tif 000012
【図１２】
0004686271.tif 000013
【図１３】
0004686271.tif 000014